(57)【要約】【課題】この発明は、簡単に開封でき、しかも簡単に製造できるガゼット袋を提供することを目的とする。【解決手段】上記の課題を解決するために、この発明の食品包装体１は、両側縁部を内側に折り込んだ折込み部５を有するガゼット袋であって、側辺において折込み部５を含む４枚のシートを熱圧着で接続したポイントシール部７を有し、このポイントシール部７に切り込み１１が設けられている。【選択図】図１
2014055008.tif 000002
【特許請求の範囲】
【請求項１】
両側縁部を内側に折り込んだ折込み部を有するガゼット袋であって、側辺において折込み部を含む４枚のシートを熱圧着で接続したポイントシール部を有し、このポイントシール部に切り込みが設けられている食品包装体。
【請求項２】
外部にプラスチックフィルムが設けられており、この外部にプラスチックフィルムには切り込みから開始される破断線を側辺部に対して概ね垂直な方向に導く破断線誘導手段が設けられている請求項１に記載の食品包装体。
【請求項３】
外部に方向性フィルムが設けられており、その方向性フィルムの破断進行方向が側辺部に対して概ね垂直である請求項２に記載の食品包装体。
【発明の詳細な説明】
【技術分野】
【０００１】
この発明は、両側縁部が内側に折り込まれたガゼット袋で、茶葉などを包装するのに適した食品包装体に関する。
【背景技術】
【０００２】
茶葉を包装する包装体としては、アルミニウムの積層シートよりなる袋が使用されている。特に、その両側縁部が内側に折り込まれたガゼット袋と呼ばれる形態の袋がよく使用されている。上下端部は熱圧着などにより封止されていて、開封時には、上端部付近をはさみで切断する。
【０００３】
また、特許文献１には、アルミニウム層を有する積層フィルムの両端縁をその内面が対向するように接着した合掌熱接着部と該合掌熱接着部と平行な両端縁に内方への折込部とが形成された状態で該合掌熱接着部の両端縁を接着した一対の端縁熱接着部とを設けることにより形成された包装袋であって、前記内面層がレーザーを吸収する層であり、該内面層がレーザーにより前記端縁熱接着部の一方に近い合掌熱接着部に形成された切込から前記端縁熱接着部の方向にＶ字状に延びる切目線が形成された包装袋が記載されている。
【先行技術文献】
【特許文献】
【０００４】
【特許文献１】特開２００１−２４００８５号公報
【発明の概要】
【発明が解決しようとする課題】
【０００５】
従来のガゼット袋の食品包装体は、はさみで切断しなければ開封できず、不便である。特許文献１の包装袋では、合掌熱接着部に切込が形成されているので、この切込から切断を開始できる。しかし、包装袋が形成されたとき、この背合わせ部（合掌熱接着部）は袋本体部の表面に接した状態であるので、これを引き起こさなければ、背合わせ部に切込を入れることはできない。包装袋の製造において、これはコストのかかる複雑な作業である。本願出願人が知る限り、特許文献１の包装袋は実施されていない。
【０００６】
この発明は、簡単に開封でき、しかも簡単に製造できるガゼット袋を提供することを目的とする。
【課題を解決するための手段】
【０００７】
上記の課題を解決するために、この発明の食品包装体は、両側縁部を内側に折り込んだ折込み部を有するガゼット袋であって、側辺において折込み部を含む４枚のシートを熱圧着で接続したポイントシール部を有し、このポイントシール部に切り込みが設けられている。これに加えて、外部にプラスチックフィルムを設け、この外部にプラスチックフィルムに切り込みから開始される破断線を側辺部に対して概ね垂直な方向に導く破断線誘導手段を設けることが好ましい。破断線誘導手段としては、例えば、外部に方向性フィルムを設け、その方向性フィルムの破断進行方向を側辺部に対して概ね垂直に配置することができる。
【発明の効果】
【０００８】
この発明の食品包装体は、側辺部に切り込みが設けられているので、はさみを使用することなく手で簡単に開封することができる。切り込みはポイントシール部に設けられているので、密封状態が維持されており、内部の食品の鮮度が保たれる。
【図面の簡単な説明】
【０００９】
【図１】食品包装体を示す平面図である。
【図２】同断面図である。
【発明を実施するための形態】
【００１０】
この発明を実施するための形態について、図面に基いて説明する。図１は食品包装体を示す平面図、図２には同Ａ−Ａ断面図である。
【００１１】
この食品包装体１は、積層シートにより作られている。内層２には、熱溶着性のプラスチックフィルムが使用され、ここではL-LDPE（リニアローデンポリエチレン）フィルムが用いられている。中間層３はたとえばアルミニウム層である。外層４には透明なプラスチックフィルムが使用される。
【００１２】
なお、図２には、積層シートのうち基本的な層のみが示されている。実際の積層シートと例として、以下のような構成の例が可能である。外側から内側の順で示している。
例１：方向性フィルム／ＰＥ／方向性フィルム／ＰＥ／接着層
例２：方向性フィルム／ＤＬ／方向性フィルム／ＤＬ／接着層
例３：ハーフカットフィルム／ＰＥ／方向性フィルム／ＰＥ／接着層
例４：ハーフカットフィルム／ＤＬ／方向性フィルム／ＤＬ／接着層
例５：方向性フィルム／ＰＥ／アルミ／ＰＥ／方向性フィルム／ＰＥ／接着層
例６：方向性フィルム／ＤＬ／アルミ／ＤＬ／方向性フィルム／ＤＬ／接着層
例７：ハーフカットフィルム／ＰＥ／アルミ／ＰＥ／方向性フィルム／ＰＥ／接着層
例８：ハーフカットフィルム／ＤＬ／アルミ／ＤＬ／方向性フィルム／ＤＬ／接着層
ここで、ＰＥ、ＤＬ、アルミはそれぞれ以下の層を示す。
ＰＥ：ポリラミネート
ＤＬ：ドラオラミネート
アルミ：アルミニウム箔（アルミニウム層）
【００１３】
食品包装体１の両側辺部では、側縁部を内側に折り込んだ折込み部５が形成されており、両ガゼット袋となっている。下端部には熱圧着などにより下部封止帯６が形成され、閉じられている。一方、上端部は封止されておらず、上部が開口した袋体として、食品包装体１はユーザに供給される。
【００１４】
食品包装体１の上部で、一方の側辺にポイントシール部７が設けられている。ポイントシール部７では、折込み部５にある４枚のシートが熱圧着で接続されている。折込み部５では外側シート８ａ，８ｂ、内側シート９ａ，９ｂが重なり合っている。ここに加熱体を押し当てることにより、外側シート８ａと内側シート９ａ、および、外側シート８ｂと内側シート９ｂは、相互に内層２の熱溶着性プラスチックフィルムを介して接するので、その熱溶着性プラスチックフィルムの溶着により接続される。一方、内側シート９ａ，９ｂ同士は、外層４により接している。この外層４にも熱溶着性プラスチックフィルムを使用すれば、その溶着により接続される。また、ポイントシール部７となる部分にホットメルトと呼ばれる熱溶着性の接着剤を塗布しておいてもよい。
【００１５】
こうして、ポイントシール部７では、折込み部５にある４枚のシートが一体に接続されている。このポイントシール部７は食品包装体１の表面積に対して、極めて小さい範囲で形成される。
【００１６】
食品包装体１の上端部は上部封止帯１０となる領域があり、ユーザが内容物を収納した後に、熱圧着などによってこの部分を封止するが、ポイントシール部７はこの上部封止帯１０よりは下側に設けられる。また、側端部のみに設けられ、中心部までは伸びない。そして、このポイントシール部７の範囲内に切り込み１１が設けられる。
【００１７】
外層４のプラスチックフィルムには、切り込み１１から開始される破断線を側辺に対して概ね垂直な方向に導く破断線誘導手段１２が設けられている。図１の例では、プラスチックフィルムの表面にハーフカットによる切断補助線が設けられている。
【００１８】
破断線誘導手段の他の例としては、方向性フィルムを使用することもできる。すなわち、外層４のプラスチックフィルムに方向性フィルムを使用する。この方向性フィルムは、特定の方向において破断が進行しやすい性質を有する。その方向性フィルムの破断進行方向が側辺部に対して概ね垂直になるように配置する。これにより、切り込み１１から開始される破断線は、方向性フィルムの破断進行方向に導かれて、側辺部に対して概ね垂直に進行する。
【００１９】
次に、食品包装体１の使用方法について説明する。食品包装体１は図１に示す状態で食品を製造または販売するユーザに供給される。ユーザは食品包装体１の開口部を開き、自分の食品を食品包装体１に収納し、上部封止帯１０の部分を熱圧着などにより封止する。こうして、食品が食品包装体１に包装される。切り込み１１はポイントシール部７の範囲内に設けられているので、外部の空気や湿気が切り込み１１から食品包装体１に入り込むことが妨げられている。
【００２０】
さらに、食品包装体１の開封方法について説明する。食品包装体１で包装された食品を購入した消費者は、切り込み１１の近くを指でつまんで、切り広げるだけで開封することができる。はさみを使用する必要はない。破断線は、破断線誘導手段に導かれて、側辺部に対して概ね垂直に進行するので、はさみで切断するのと同じように、きれい開封することができ、内部の食品を取り出すことができる。
【符号の説明】
【００２１】
１．食品包装体
２．内層（熱溶着性プラスチックフィルム）
３．中間層（アルミニウム層）
４．外層（プラスチックフィルム）
５．折込み部
７．ポイントシール部
１１．切り込み
１２．破断線誘導手段
【図１】
2014055008.tif 000003
【図２】
2014055008.tif 000004